(57)【要約】【課題】  本発明が解決しようとする課題は、ランプ交換の手間の削減し、かつ交換用ランプの保管場所を必要としない照明器具を提供することである。【解決手段】  光源と、前記光源を点灯させる点灯回路と、前記光源との電気的な接続及び保持の一方もしくは両方の役割を果たすソケットと、前記点灯回路を収納する筐体と、を具備する照明器具において、前記筐体内に、少なくともひとつ以上のスペア用光源を収納する機構を有する。【選択図】  図1
2019164927.tif 000002
【特許請求の範囲】
【請求項１】
光源と、前記光源を点灯させる点灯回路と、前記光源との電気的な接続及び保持の一方もしくは両方の役割を果たすソケットと、前記点灯回路を収納する筐体と、を具備する照明器具において、
前記筐体内に、少なくともひとつ以上のスペア用光源を収納する機構を有することを特徴とする照明器具。
【請求項２】
前記光源が直管蛍光ランプもしくはＬＥＤランプであることを特徴とする請求項1に記載の照明器具。
【請求項３】
前記ソケットは、前記光源と接続される第一のソケットと、前記スペア用光源と接続される第二のソケットを具備し、
前記光源が前記筐体の外に設置されており、前記スペア用光源が前記筐体内に収納されている状態で、前記点灯回路は、前記第一のソケットと電気的に接続され、前記第二のソケットとは電気的に接続されておらず、
前記第一のソケットと前記第二のソケットを機械的に反転もしくは移動させた場合、前記光源は前記筐体内に収納され、前記スペア光源は前記筐体の外に設置し、かつ前記点灯装置は、前記第二のソケットと電気的に接続され、前記第一のソケットとは電気的に接続されないことを特徴とする請求項1又は2に記載の照明器具。
【請求項４】
前記照明器具筐体には前記スペア用光源を前記照明器具内に収納させるための開口部を有し、前記照明器具内には前記スペア用光源を前記第ソケットまで導くガイド機構を具備することを特徴とする請求項1乃至３の何れか1項に記載の照明器具。
【発明の詳細な説明】
【技術分野】
【０００１】
本発明は照明器具に関するものである。
【背景技術】
【０００２】
従来より蛍光ランプ用照明器具は、蛍光ランプが寿命になった際に新しい蛍光ランプへの交換が必要になっている。特に施設や店舗等の直管蛍光ランプ用器具においては、比較的高い位置に設置されており、古いランプから新しいランプへの交換作業は、脚立等に乗っての作業を必要とすることが多い。そのため古いランプを外した後、一度脚立を降り、新しいランプを持って再度脚立に乗って交換する必要があり、作業に手間を要する場合がある。更にランプを持った状態での脚立の乗り降りは不安定な体勢になりやすく、危険を伴う可能性も考えられる。また、突然のランプ切れに対応できるように交換用ランプを別の倉庫等に保管しておかなければならない等の課題がある。
【先行技術文献】
【特許文献】
【０００３】
【特許文献１】特開２０１１−９１４１号公報
【発明の概要】
【発明が解決しようとする課題】
【０００４】
本発明が解決しようとする課題は、上記のようなランプ交換の手間の削減し、かつ交換用ランプの保管場所を必要としない照明器具を提供することである。
【課題を解決するための手段】
【０００５】
上記課題を解決するために、光源と、前記光源を点灯させる点灯回路と、前記光源との電気的な接続及び保持の一方もしくは両方の役割を果たすソケットと、前記点灯回路を収納する筐体と、を具備する照明器具において、前記筐体内に、少なくともひとつ以上のスペア用光源を収納する機構を有することを特徴とする。
【発明の効果】
【０００６】
本発明により、スペアランプを照明器具内に収納させることでランプ交換時に古いランプと新しいランプを交換する手間を削減し、かつ交換用ランプの保管場所を必要としない照明器具を提供することができる。
【図面の簡単な説明】
【０００７】
【図１】（ａ）第一の実施例を説明する構成図。（ｂ）第一の実施例を説明するランプ交換時の構成図。
【図２】第二の実施例を説明する構成図。
【発明を実施するための形態】
【０００８】
以下、本発明の実施例を上記した図に従って説明する。
【実施例１】
【０００９】
図１は本実施例の構成を示す図である。図１(a)において、１は照明器具筐体、2は第一のソケット、3は第一のソケットに取り付けられている蛍光ランプ、4は第二のソケット、5は第二のソケットに取り付けられているスペアランプを示す。第二のソケット2及びスペアランプ5は通常照明器具筐体1の中に収納されている。また照明器具筐体1の中には図1には図示していない点灯回路(安定器)も収納され、点灯回路と第一のソケット2は電気的に接続されており、照明器具の電源をONすると、蛍光ランプ3が点灯する。この時、第二のソケット4と点灯回路は電気的接続がされていない。
【００１０】
図1(b)はランプ交換時における第二のソケット4、スペアランプ5を照明器具筐体1から引き出した状態を示す図である。6はスライドレールであり、照明器具筐体1からスライドさせ、2〜4を引き出せる機構になっている。また、スライドレール6には回転軸7が接続されており、照明器具筐体1から引き出した状態で、回転軸7を中心に2〜4を180度反転させることができる。
【００１１】
前述の通り、通常は図1(a)のように、第二のソケット4及びスペアランプ5は照明器具筐体内に収納されているが、例えば蛍光ランプ3が寿命などで不点灯になった際、図1(b)のようにスライドレール6を通じて2〜4を引き出し、回転軸6を中心に180度反転させた後、再びスライドレール6を戻せば、蛍光ランプ3とスペアランプ5の位置が逆転できる。この際、点灯回路との電気的接続も第一のソケット2から第二のソケット4に切り替わり、照明器具の電源をONするとスペアランプ5が点灯する構成になっている。
【００１２】
以上のように、照明器具内に第二のソケット及びスペアランプを収納させることで、簡単にランプ交換をすることができ、また交換用ランプの保管場所を必要としない照明器具を提供することができる。
【００１３】
なお、本実施例では、光源として蛍光ランプを例に挙げているが、蛍光ランプの変わりにLED等の別の光源においても応用させることができる。またスペアランプに光源色の異なるランプを取り付ければ、用途に応じてスペアランプに切替え、光源色を変えたりすることも出来る。LEDの例として、直管LEDランプや他の交換可能なLEDユニットなどが挙げられる。ソケットの回転機構を電動化させれば、例えばリモコンや手元のスイッチ等で自由に光源色を切り替えられる照明器具にすることも可能になる。
【実施例２】
【００１４】
図2は第二の実施例の構成を示す概略図である。図を簡略化させるため、全体図の一部のみ記載している。図2において11は照明器具筐体、12はソケット、13は蛍光ランプ、14及び15はスペアランプ、15aはスペアランプ15の口金ピン、16はガイド部、17は開口部を示す。またその他に図に示されていない点灯回路(安定器)も照明器具筐体内に収納されており、ソケット12を通じて蛍光ランプ13に電気的に接続されている。開口部17はスペアランプ14,15を照明器具筐体内に収納する際の取り入れ口で、開口部17からスペアランプを収納できる。スペアランプ15は開口部17から照明器具筐体内に収納する直前の状態を図示している。本実施例では簡易的にするため、開口部17は常に開いた状態であるが、通常は扉等で開口部を閉じる機構を設けるのが望ましい。ガイド部16はスペアランプ15を照明器具内に収納させるためのガイド穴となっており、本実施例においては、一例としてスペアランプ15の口金ピン15aがガイド部のガイド穴を通じて照明器具内に収納される方式を適用しており、ガイド穴はソケット12まで通じているが、例えばストッパーや開閉式の扉などでスペアランプが照明器具筐体内に留まるような構成になっている。ガイド部16の幅は口金ピン15aの幅より若干広くなっており、スペアランプ14はガイド部16のガイド穴を通じて照明器具筐体内に収納されている状態を示している。
【００１５】
本実施例においては、照明器具筐体内に収納できるスペアランプは、一例としてスペアランプ14及び15の2本としているが、照明器具の構造次第で任意に変えることができる。また開口部17の位置は照明器具への入れ易さを考慮し照明器具の側面としているが、任意に変更することも出来る。
【００１６】
次にランプ交換時の方法について説明する。例えば蛍光ランプ13が寿命等で不点灯になった際、蛍光ランプ13をソケット12から取り外すと、ストッパーや開閉式の扉が解除され、照明器具筐体内に収納されていたスペアランプ14がガイド部16のガイド穴を通じてソケット12に導かれるようになっている。その後、ソケット12まで導かれたスペアランプ14を例えばランプを90度回転させる等でソケット12と電気的に接続されるようにすれば、ランプ交換を完了することができる。
【００１７】
以上のように、照明器具内にガイド部及びスペアランプを収納させることで、簡単にランプ交換をすることができ、また交換用ランプの保管場所を必要としない照明器具を提供することができる。
【００１８】
なお、本実施例では、光源として蛍光ランプを例に挙げているが、蛍光ランプの変わりにLED等の別の光源においても応用させることができる。また蛍光ランプをソケットから取り外すと、ストッパーや開閉式の扉が解除される例を示したが、解除方法はこれに限らず任意に設定させることもできる。
【符号の説明】
【００１９】
１、１１  照明器具筐体
２  第一のソケット
３、１３  蛍光ランプ
４  第二のソケット
５、１４、１５  スペアランプ
６  スライドレール
７  回転軸
１２  ソケット
１６  ガイド部
１７  開口部
【図１】
2019164927.tif 000003
【図２】
2019164927.tif 000004